(57)【特許請求の範囲】
【請求項１】
第１筐体と、該筐体の一辺にその辺を中心に回動自在に装着された第２筐体とを備えて上記第１、第２筐体を折畳可能な電子機器であって、上記第２筐体内部に表示器と、摺動機構の摺動により上記第１筐体と係止する係止手段とが配設され、折畳時に上記第１筐体と対向する内面に上記表示器の表示面を露出する表示用開口を上記第２筐体に有する電子機器において、
上記表示用開口を避けた上記第２筐体の内面と上記表示器の間に上記摺動機構の摺動面を配設したことを特徴とする電子機器。
【請求項２】
請求項１の上記第１筐体には、上記折畳時に上記係止手段が係止される手段が装着されていると共に該手段近傍の第１筐体の厚みを他の部分より薄くしたことを特徴とする電子機器。
【請求項３】
上面にキーボードが配された本体と、該本体の一辺にその辺を中心に回動自在に装着され、かつ、表示器と、上記本体のキーボードが配された側の内面に係止用開口と上記表示器の表示面を露出する表示用開口を有する表示器体とを備えた電子機器であって、上記係止用開口から突出する係止フックが摺動機構の摺動により上記本体と表示器体とを係止する係止手段を上記表示器体内に有する電子機器において、
上記摺動機構の摺動面を上記係止用開口と上記表示器の間および上記表示用開口を避けた上記表示器体の内面と上記表示器の間に配設したことを特徴とする電子機器。
【請求項４】
請求項３の上記本体には、上記表示器体の上記本体側への折畳時に上記係止手段が係止される手段が装着されていると共に該手段近傍の本体の厚みを他の部分より薄くしたことを特徴とする電子機器。
【請求項５】
請求項３又は４の上記係止手段は、上記表示器体内部の一辺近傍に配され、この辺の延在方向に沿って延在する支持部と、該支持部に支持されて上記延在方向に摺動可能であると共に一端が上記表示器体外方に突出するように上記係止用開口面に直交する方向に延在する係止フックとを少なくとも備えたことを特徴とする電子機器。
【請求項６】
請求項５の上記支持部は、上記係止フックの他端を摺動可能に保持するために断面コ字状となっていることを特徴とする電子機器。
【請求項７】
請求項５又は６の上記支持部は金属製であり、かつ、上記表示器体の上記係止用開口面と直交する面の内側に固定されていることを特徴とする電子機器。
【発明の詳細な説明】
【０００１】
【産業上の利用分野】
本発明は電子機器に関する。
【０００２】
【従来の技術】
現在、ノートブック型、サブノート型或はパームトップ型と称される小型軽量で携帯性に富んだ電子機器が急増している。この種機器の基本構成は、特開昭５９−９１５２４号公報等にも記載されているように、上面にキーボードを配した本体と、該本体上面の一辺を中心に回動可能に装着され、かつ、上記キーボードと対向する面に液晶等のフラットパネルディスプレイからなる表示器が配された表示器体とを備え、機器の使用時には上記表示器体を本体のキーボード面に対して略直交する位置に回動保持することにより、キー入力及び表示視認を可能とし、一方、機器の未使用時或は携帯時には、上記表示器体にて上記キーボード面を覆うように上記表示器体を回動保持することにより、機器をコンパクト化できる。
【０００３】
図１は、この種電子機器の概要を示す側面図（尚、図１は本発明の実施例を説明するための側面図を兼用する。）であり、上面にキーボード１が配された本体２の後端部に図中矢印方向に回動自在に表示器体３が装着されている。また、上記キーボード１と対向する上記表示器体３の面の上縁近傍には係止フック４が装着され、かつ、上記表示器体３を上記本体２側に回動させて折畳んだ際に上記係止フック４の位置に対応して上記キーボード１が配された本体２の上面には上記係止フック４と係合する係止孔５が形成されている。
【０００４】
従って、機器の未使用時或は携帯時には、上記表示器体３にて上記キーボード１を覆うように上記表示器体３を回動させることにより、係止フック４が係止孔５に係止されて機器を折畳んだ状態で保持できる。
【０００５】
【発明が解決しようとする課題】
ところで、この種機器においては、表示器の大型化と、機器のコンパクト化という相反する課題を共に解決することが要求されている。このため、図１に示す如く表示器体３のサイズは表示器体３内に配される液晶等のフラットパネルディスプレイからなる表示器６のサイズとに略等しくなるサイズとなるように設計されることが好ましく、また、機器の厚み（機器の折畳時、表示器６の表示面と直交する方向の長さ）も機器のコンパクト化という観点から可能な限り薄くする必要がある。
【０００６】
このため、上記係止フック４の取付け構成には一層の設計的工夫が必要となってきた。
【０００７】
【課題を解決するための手段】
本発明は上記課題を解決するためになされたもので、その特徴は、第１筐体と、該筐体の一辺にその辺を中心に回動自在に装着された第２筐体とを備えて上記第１、第２筐体を折畳可能な電子機器であって、上記第２筐体内部に表示器と、摺動機構の摺動により上記第１筐体と係止する係止手段とが配設され、折畳時に上記第１筐体と対向する内面に上記表示器の表示面を露出する表示用開口を上記第２筐体に有する電子機器において、上記表示用開口を避けた上記第２筐体の内面と上記表示器の間に上記摺動機構の摺動面を配設したことにある。
【０００８】
【発明の実施の形態】
本発明は、図１に示す電子機器において係止フック４の装着に特徴を有している。尚、上記表示器体３は上ケース７と下ケース８とからなり、上記上ケース７は表示器６の表示面を露出させるための開口を有すると共に上記上下ケース７、８は係止爪等により相対的に着脱可能となっている。また、上記係止フック４は後述するように図１中紙面垂直方向に摺動可能に装着されると共にその摺動をユーザが操作するための操作レバー９が表示器体４の上端縁に配されている。
【０００９】
図２は、本実施例の表示器体３をキーボード１を覆うように回動させることにより、係止フック４が係止孔５に係止された状態（以下、単に折畳状態と称す）における上記係止フック４近傍の部分側面断面を示す。また、図３は、上記折畳状態における本体２前縁側から見た部分断面を示す。
【００１０】
図２に示す如く、上記操作レバー９は、表示器体３の上端縁に突出した操作部１０と、該操作部より上下ケース７、８間に形成され、上記係止フックの摺動方向に延在する長孔１２を介して上記表示器体３内方に延在する延在部１１とからなる。
【００１１】
上記操作レバー９の延在部１１は、図２に示す如く表示器体３の上端縁近傍内部に配され、上記表示器体３の上端縁と平行に延在する金属製の断面コ字状支持部１３に遊嵌されている。そして、上記支持部１３は、その上端から表示器６の表示面と直交する方向に延在する取付部１４が上記表示器体３の下ケース８の上端縁内壁に係合固定されている。従って、上記操作レバー９の延在部１１は、上記表示器体３の上端縁と平行な方向にのみ摺動可能となる。
【００１２】
また、上記操作レバー９の延在部１１先端には、係止フック４の一端が固定されている。この係止フック４は、図１にも示す如く表示器６の表示面と直交する方向にに延在し、他端（以下、先端と称す。）が表示器体４から突出する。このため、上記支持部１３及び上ケース７には、上記係止フック４の先端が表示器体３外方に突出でき、かつ、上記操作レバー９と共に摺動可能とするために、上記操作レバー９の摺動方向に延在する挿通孔１５、１６が穿設されている。
【００１３】
更に、上記操作レバー９は、上記コ字状支持部１３内に配されたバネ等の弾性体１７により、常時図３中左方向に摺動するように付勢力が付与されている。
【００１４】
上記係止フック４の先端は、図３に示すように係止フック４のスライド方向の一辺が突出した鉤型状となっている。また、本体２に穿設された係止孔５は、機器の折畳状態時に上記挿通孔１５、１６と対向し、かつ、上記係止フック４の摺動方向の長さがこれら挿通孔１５、１６と略同じ長さとなる開口１８を備えると共に係止フック４のスライド方向下流側に上記係止フック４の鉤型部が係止される係止部１９を備える。これにより、上記係止フック４先端が係止孔５内に挿入されると、その鉤型先端部が係止部１９に係止されて、機器の折畳状態が保持される。尚、この保持状態の解除は、操作レバー９を上記弾性体１７の付勢力に抗する方向に摺動させることにより上記係止フック４の鉤型先端部と係止部１８との係止状態を解除した後、表示器体３を回動させることにより行える。
【００１５】
また、表示器６の一端は、上記上端縁の長さ方向（図２中、紙面垂直方向）に沿って延在する上記コ字状支持部１３と上ケース９との間の空間内に挿入される。これにより、上記係止フック４を摺動させるための機構を配する空間を表示器６上方の表示器体３内部に設ける必要がないため表示器体６の平面サイズを表示器６の平面サイズに近似させることができ、表示器６のサイズ拡大に伴う表示器体３のサイズ拡大を極力抑制することができる。
【００１６】
更に、本体２の上記係止孔５が形成された領域をキーボード１が配された領域より略上記コ字状支持部１３の高さ分だけ低くする。これにより、機器の折畳時、機器全体の厚みの増大を極力抑制できる。
【００１７】
【発明の効果】
本発明によれば、表示器の大型化と、機器のコンパクト化という相反する課題を共に解決することができる。
【図面の簡単な説明】
【図１】本発明を適用してなる電子機器の右側面図である。
【図２】本実施例の要部側面部分断面図である。
【図３】本実施例の要部前面部分断面図である。
【符号の説明】
２    本体
３    表示器体
４    係止フック
５    係止孔
６    表示器
９    操作レバー
１３  断面コ字状支持部
１７  弾性手段
【図１】
0003579301.tif 000002
【図２】
0003579301.tif 000003
【図３】
0003579301.tif 000004